【手続補正書】
【提出日】平成15年10月28日(2003.10.28)
【手続補正１】
【補正対象書類名】明細書
【補正対象項目名】全文
【補正方法】変更
【補正の内容】
【発明の名称】盤面飾り取付構造、盤面飾り取付方法及び盤面飾り
【特許請求の範囲】
【請求項１】遊技盤の表面に盤面飾りが取り付けられる盤面飾り取付構造であって、
前記遊技盤の表面には、
発射された遊技球を案内するガイドレールと、
前記盤面飾りを取り付けるための複数の取付孔とが設けられ、
前記盤面飾りには前記取付孔に嵌合する複数の凸部が設けられたことを特徴とする盤面飾り取付構造。
【請求項２】前記複数の凸部の内の一つである第一の凸部の長さは、他の凸部よりも長いことを特徴とする請求項１に記載の盤面飾り取付構造。
【請求項３】遊技盤の表面に盤面飾りを取り付ける盤面飾り取付方法であって、
前記遊技盤の表面に、発射された遊技球を案内するガイドレールを取り付けるガイドレール取付工程と、
前記盤面飾りの裏面に設けられた複数の凸部の内の一つである第一の凸部を、前記遊技盤上に設けられた複数の取付孔の内の一つに嵌合させる第一の凸部嵌合工程と、
前記第一の凸部以外の他の凸部を前記取付孔に嵌合させる他の凸部嵌合工程と
を備えたことを特徴とする盤面飾り取付方法。
【請求項４】前記第一の凸部嵌合工程では、前記盤面飾りの裏面に設けられた複数の凸部の内他の凸部よりも長い第一の凸部を、前記遊技盤上に設けられた複数の取付孔の内の一つに嵌合させることを特徴とする請求項３に記載の盤面飾り取付方法。
【請求項５】遊技盤表面に取り付けられる盤面飾りであって、
当該盤面飾りの裏面に複数の凸部が設けられていることを特徴とする盤面飾り。
【発明の詳細な説明】
【０００１】
【発明の属する技術分野】
本発明は、パチンコ機、パチコン機等の遊技機に関するものであり、詳細には、遊技盤に盤面飾りを取り付けるための盤面飾り取付構造及び盤面飾り取付方法に関する。
【０００２】
【従来の技術】
従来の遊技機、例えばパチンコ機において、図９に示すように、所定厚を有する略長方形の遊技盤３００の表面３００ａには、発射された遊技球（図示外）を案内するガイドレール３０５及び３０６が設けられている。ガイドレール３０５は遊技盤３００の上部に設けられ、ガイドレール３０６は遊技盤３００の下部に設けられており、それぞれが正面視略半円形形状を有している。また、各々のガイドレールは、固定ピン（図示外）で遊技盤３００に固定されているが、ガイドレール３０６の＋Ｘ側の末端部３０６ａは固定されず自由端となっており、ガイドレール３０６上の末端部３０６ａにおける外向き法線方向（矢印Ｎと反対方向）に向かってふくらんだ形状になっている。
【０００３】
また、遊技盤３００上のガイドレール３０５及び３０６の外側（図９における＋Ｘ側）には盤面飾り３３０を取り付けるための複数の取付孔３０１〜３０４が穿設されており、取付孔３０１，３０２はＺ軸方向の上部に、取付孔３０３は上下方向中間部に、取付孔３０４は下部にそれぞれ設けられている。また、図１０及び図１１に示すように、盤面飾り３３０の裏側からは複数の凸部が立設されており、図１０の上下方向の上部に凸部３３１，３３２が、上下中間部に凸部３３３が、下部に凸部３３４がそれぞれ設けられている。凸部３３１〜３３４はそれぞれ等しい長さになっており、盤面飾り３３０を遊技盤３００に取り付ける際には、図９に示すように、盤面飾り３３０を＋Ｙ方向へ移動させて盤面飾り３３０に設けられた各々の凸部を遊技盤３００に設けられた取付孔３０１〜３０４に嵌め込むようになっていた。
【０００４】
また、図９に示すように、盤面飾り３３０を遊技盤３００に取り付けるには、まず、盤面飾り３３０に設けられた凸部３３１〜３３４が遊技盤３００に設けられた取付孔３０１〜３０４に各々嵌り込むように、盤面飾り３３０をＹ軸方向と平行に＋Ｙ方向に移動させる。また、盤面飾り３３０が遊技盤３００に取り付けられたときに、ガイドレール３０６の端部３０６ａは、盤面飾り１に密接してガイドレール３０６と盤面飾り３３０との間に隙間ができないように、その位置における外向きの法線方向（矢印Ｎの反対方向）に予めふくらんだ形状になっているため、端部３０６ａを手などで矢印Ｎ方向に押圧しながら盤面飾り３３０を＋Ｙ方向に移動させて遊技盤３００に取り付けていた。
【０００５】
【発明が解決しようとする課題】
しかしながら、上述のような従来の技術では、遊技盤３００に盤面飾り３３０を取り付ける際に、ガイドレール３０６の端部３０６ａを、その端部３０６ａにおける内向きの法線方向に押圧しながら盤面飾り３３０を嵌め込むという作業をいちいち行わなければならず、作業が面倒で効率が悪いという問題点があった。
【０００６】
本発明は、上記課題を解決するためになされたものであり、盤面飾りの遊技盤への取付作業を容易にすることのできる盤面飾り取付構造、盤面飾り取付方法及び盤面飾りを提供することを目的とする。
【０００７】
【課題を解決するための手段】
上記課題を解決するため、請求項１に係る発明の盤面飾り取付構造は、遊技盤の表面に盤面飾りが取り付けられるものであって、前記遊技盤の表面には、発射された遊技球を案内するガイドレールと、前記盤面飾りを取り付けるための複数の取付孔とが設けられ、前記盤面飾りには前記取付孔に嵌合する複数の凸部が設けられ、当該複数の凸部の内の一つである第一の凸部が、前記遊技盤上の複数の取付孔の内の一つに嵌合され、前記盤面飾りが前記第一の凸部を支点として回転され、当該盤面飾りの側面が前記ガイドレールの端部に当接し、且つ前記第一の凸部以外の他の凸部が前記取付孔に嵌合されることで、前記盤面飾りが前記遊技盤に取り付けられることを特徴とする構成となっている。
【０００８】
この構成の盤面飾り取付構造では、盤面飾りに設けられた複数の凸部の内の一つである第一の凸部が遊技盤に設けられた複数の取付孔の内の一つに嵌合して、盤面飾りが第一の凸部を支点として回転する際に、盤面飾りの側面がガイドレールの端部に当接しガイドレールが盤面飾りに押圧されるので、盤面飾りの取り付け時に、ガイドレールを手等で押さえておく必要がない。それにより作業の効率を上げることができる。
【０００９】
また、請求項２に係る発明の盤面飾り取付構造では、請求項１に記載の盤面飾り取付構造の構成に加えて、前記第一の凸部の長さは、他の凸部よりも長いことを特徴とする。
【００１０】
この構成の盤面飾り取付構造では、請求項１に記載の盤面飾り取付構造の作用に加えて、盤面飾りに設けられた複数の凸部の内、第一の凸部の長さが他の凸部よりも長くなっているので、遊技盤の表面に設けられた複数の取付孔の内の一つに第一の凸部を嵌合させ易く、第一の凸部以外の凸部は遊技盤に干渉することなく盤面飾を回転することができ、第一の凸部は支点として取付孔に確実に嵌り込むので、盤面飾りが遊技盤から浮いて外れてしまうことがない。
【００１１】
また、請求項３に係る発明の盤面飾り取付方法は、遊技盤の表面に盤面飾りを取り付ける方法であって、前記遊技盤の表面に、発射された遊技球を案内するガイドレールを取り付けるガイドレール取付工程と、前記盤面飾りの裏面に設けられた複数の凸部の内の一つである第一の凸部を、前記遊技盤上に設けられた複数の取付孔の内の一つに嵌合させる第一の凸部嵌合工程と、前記盤面飾りを前記第一の凸部を支点として回転し、当該盤面飾りの側面を前記ガイドレールの端部に当接させて押圧する回転工程と、前記第一の凸部以外の他の凸部を前記取付孔に嵌合させる他の凸部嵌合工程とを備えたことを特徴とする構成となっている。
【００１２】
この構成の盤面飾り取付方法では、第一の凸部嵌合工程で、盤面飾りに設けられた複数の凸部の内の一つである第一の凸部を遊技盤に設けられた複数の取付孔の内の一つに嵌合させ、回転工程で盤面飾りを第一の凸部を支点として回転させて、盤面飾りの側面をガイドレールの端部に当接させてガイドレールの端部を盤面飾りで押圧できるので、盤面飾りの取り付け時に、別の工程としてガイドレールを手等で押さえておく必要がない。それにより作業の効率を上げることができる。
【００１３】
また、請求項４に係る発明の盤面飾り取付方法は、請求項３に記載の盤面飾り取付方法の構成に加えて、前記第一の凸部嵌合工程では、前記盤面飾りの裏面に設けられた複数の凸部の内他の凸部よりも長い第一の凸部を、前記遊技盤上に設けられた複数の取付孔の内の一つに嵌合させることを特徴とする構成となっている。
【００１４】
この構成の盤面飾り取付方法では、請求項３に記載の盤面飾り取付方法の作用に加えて、第一の凸部嵌合工程で盤面飾りに設けられた複数の凸部の内、他の凸部よりも長い第一の凸部を遊技盤の表面に設けられた複数の取付孔の内の一つに嵌合させ、回転工程で盤面飾りを回転させても、第一の凸部以外の凸部は遊技盤に干渉することがない。また、第一の凸部は支点として取付孔に確実に嵌合するので、盤面飾りが遊技盤から浮いて外れてしまうことがない。
【００１５】
また、請求項５に係る発明の盤面飾りは、遊技盤表面に取り付けられるものであって、当該盤面飾りの裏面に設けられた複数の凸部の内、第一の凸部が他の凸部よりも長くなっていることを特徴とする。
【００１６】
この構成の盤面飾りでは、盤面飾りの裏面に設けられた複数の凸部の内、第一の凸部が他の凸部よりも長くなっているので、第一の凸部を遊技盤に設けられた取付孔に嵌合させて第一の凸部を支点として盤面飾りを回転させることができ、他の凸部を遊技盤に設けられた取付孔に嵌合させて盤面飾りを遊技盤に取り付けることができる。
【００１７】
【発明の実施の形態】
以下、本発明に係る盤面飾り取付構造及び盤面飾り取付方法をパチンコ機に適用した一実施の形態について図面を参照して説明する。まず、図１及び図２を参照して、盤面飾り１の構造について説明する。図１は、盤面飾り１の後方斜視図であり、図２は、盤面飾り１を図１の−Ｙ側から見た状態を示す側面図である。
【００１８】
後述するパチンコ機の遊技盤１０に取り付けられる盤面飾り１は、合成樹脂材料から一体成型され、図１に示すように、上下方向に長手の略長方形形状の側壁１ｂと、側壁１ｂの上端部から＋Ｙ方向に側壁１ｂに対して略垂直に立設された略長方形の上壁１ｃと、側壁１ｂの下端部から＋Ｙ方向に上壁１ｃよりも長めに側壁１ｂに対して略垂直に立設された略長方形の下壁１ｄと、下壁１ｄの先端部から側壁１ｂと略平行に立設された略長方形の側壁１ｅと、側壁１ｅと上壁１ｃとの間に跨設された、正面視で−Ｙ方向に凹んだ円弧状の側壁１ｆとから形成されており、各壁部材は−Ｘ側が表壁１ａにより閉じられており、＋Ｘ側は開放されている。即ち、図７に示すように、盤面飾り１は、側壁１ｂが遊技盤１０の右側端面に沿うように、また円弧状の側壁１ｆがガイドレール１５及び１６に沿うように成型されており、図５に示すように、正面視で略Ｌ字型形状になっている。
【００１９】
また、盤面飾り１の表壁１ａの裏側からは、＋Ｘ方向に向かって表壁１ａと略垂直に複数の凸部２〜５が立設されている。各々の凸部は、円弧状の側壁１ｆの近傍に配設されており、Ｚ軸方向の上部に二つの凸部２，３が、上下方向の中間部に一つの凸部４が、下部に一つの凸部５がそれぞれ設けられている。各々の凸部は側面視略長方形で断面が略十字型形状を有し、凸部２〜４はそれぞれ同じ長さであり、図２に示すように、凸部５だけが他の凸部よりも長めに成型されている。この凸部５は、後述する遊技盤１０に盤面飾り１を取り付ける際に、最初に遊技盤１０に設けられた取付孔１４（図３参照）に嵌め込まれることになる。
【００２０】
次に、図３乃至図７を参照して、パチンコ機に用いられる遊技盤１０に盤面飾り１を取り付ける盤面飾り取付方法について説明する。図３は、遊技盤１０に盤面飾り１を取り付ける前の状態を示す後方斜視図であり、図４は、盤面飾り１の遊技盤１０への取付方法を示す斜視図であり、図５は、盤面飾り１の遊技盤１０への取付方法を示す正面図であり、図６は、図５のＡ−Ａ線における矢視方向断面図である。図７は、盤面飾り１を遊技盤１０に取り付けた状態を示す斜視図である。
【００２１】
図３及び図４に示すように、所定厚を有するベニヤ合板から構成された略長方形形状の遊技盤１０には、盤面飾り１を取り付けるために、図３の上下方向の上部に二つの取付孔１１，１２が、上下方向中間部に一つの取付孔１３が、下部に一つの取付孔１４がそれぞれ穿設されている。また、遊技盤１０の表面１０ａの上部には、発射された遊技球（図示外）を案内するガイドレール１５が固定ピン１５ａ〜１５ｇ（図５参照）により正面視で略円形になるように固設されている。また、遊技盤１０の表面１０ａの下部には、発射された遊技球（図示外）を案内するガイドレール１６が固定ピン１６ｂ〜１６ｇ（図５参照）により正面視で略円形になるように固設されている。
【００２２】
また、図５に示すように、ガイドレール１６の＋ｒ側の端部１６ａは自由端になっており、略半円形のガイドレール１６の端部１６ａにおける外向き法線方向（矢印ｎの反対方向）にふくらんだ状態になっている。これは、盤面飾り１を遊技盤１０に取り付けたときに、ガイドレール１６の端部１６ａが盤面飾り１に密接してガイドレール１６と盤面飾り１との間に隙間が生じないようにするためである。
【００２３】
図３に示すように、盤面飾り１を遊技盤１０に取り付けるには、まず、盤面飾り１を図３の上下方向に立てた状態から、−θ方向に所定角度だけ傾ける。図４に示すように、所定角度は、盤面飾り１を−Ｚ方向へ移動させたときに盤面飾り１とガイドレール１６とが重ならない程度の角度である。そして、盤面飾り１を−Ｚ方向へ移動させると、図６に示すように、盤面飾り１の上下方向の下部に設けられた凸部５の先端部５ａが、遊技盤１０に設けられた取付孔１４に嵌り込むことになる。
【００２４】
凸部５の先端部５ａが取付孔１４に嵌り込んだ状態では、盤面飾り１に設けられた凸部５以外の凸部２〜４の末端は、いずれも側面視で遊技盤１０の表面１０ａと略同一な位置にあり、この状態から凸部５を支点として盤面飾り１を図４におけるθ方向へ回転させても、凸部２〜４が遊技盤１０に干渉しないようになっているので、盤面飾り１の凸部５の先端５ａが遊技盤１０に設けられた取付孔１４に嵌り込んだ状態で、凸部５を支点として、図５に示すように、盤面飾り１をθ方向に回転させることができる。それにより、ガイドレール１６の端部１６ａは、盤面飾り１の円弧状の側板１ｂにより矢印ｎ方向に押圧されて、当該側板１ｂと密接することになる。
【００２５】
そして、その状態から盤面飾り１を図５の奥行き方向（図４における−Ｚ方向）へ押し込めば、図３に示す、盤面飾り１の上部に設けられた凸部２が遊技盤１０の上部に設けられた取付孔１１に嵌り込み、盤面飾り１の上部に設けられた凸部３が遊技盤１０の上部に設けられた取付孔１２に嵌り込む。また、盤面飾り１の上下中間部に設けられた凸部４が遊技盤１０の上下中間部に設けられた取付孔１３に嵌り込み、盤面飾り１が遊技盤１０に取り付けられることになる。従って、ガイドレール１６の端部１６ａを、指などで押さえることなく盤面飾り１の回転によって矢印ｎ方向へ押圧しながら盤面飾り１を遊技盤１０に取り付けることができる。
【００２６】
以上説明したように、上記の実施の形態の盤面飾り取付方法では、盤面飾り１に設けられた複数の凸部の内、下部に設けられた凸部５だけが他の凸部よりも長めに成型されているので、盤面飾り１を遊技盤１０に取り付ける際に、凸部５の先端５ａを遊技盤１０に設けられた取付孔１４に嵌め込み、盤面飾り１を凸部５を支点として、凸部５以外の凸部２〜４を遊技盤１に干渉させることなく回転させれば、盤面飾り１の円弧状の側板１ｆはガイドレール１６の端部１６ａに密接して、端部１６ａを押圧するので、ガイドレール１６の端部１６ａを手などで押さえるというような作業工程を省いて盤面飾り１を遊技盤１０に取り付けることができる。
【００２７】
尚、本発明は各種の変形が可能である。例えば、図８に示すように、盤面飾り１が、その裏面に設けられた複数の凸部の内上部に設けられた凸部２が他の凸部に比べて長い形状であっても、凸部２の先端を遊技盤１０に設けられた取付孔１１（図３参照）に嵌め込んで、凸部２を支点として盤面飾り１を回転させて遊技盤１０に取り付けることもできる。また、凸部３が他の凸部よりも長い形状の盤面飾り１も、同様にして遊技盤１０に取り付けることができる。即ち、盤面飾り１の長手方向端部近傍に設けられた凸部が他の凸部よりも長い形状であれば、他の凸部よりも長い凸部を遊技盤１０に設けられた取付孔の内の一つに嵌め込んで、当該凸部を支点として盤面飾り１を回転させて遊技盤１０に取り付けることができる。また、本発明はパチンコ機に限られず、パチコン機等の遊技球を案内するガイドレールを備えた各種の遊技機に適用可能なことは言うまでもない。
【００２８】
【発明の効果】
以上説明したように、請求項１に係る発明の盤面飾り取付構造では、盤面飾りに設けられた複数の凸部の内の一つである第一の凸部が遊技盤に設けられた複数の取付孔の内の一つに嵌合して、盤面飾りが第一の凸部を支点として回転する際に、盤面飾りの側面がガイドレールの端部に当接しガイドレールが盤面飾りに押圧されるので、盤面飾りの取り付け時にガイドレールを手等で押さえておく必要がない。それにより、作業が容易になり作業の効率を上げることができる。
【００２９】
また、請求項２に係る発明の遊技機では、請求項１に記載の盤面飾り取付構造の効果に加え、盤面飾りに設けられた複数の凸部の内、第一の凸部が他の凸部よりも長くなっているので、遊技盤の表面に設けられた複数の取付孔の内の一つに第一の凸部を嵌合させ易く、第一の凸部以外の凸部は遊技盤に干渉することなく盤面飾りを回転することができ、第一の凸部は支点として取付孔に確実に嵌合するので、作業工程で回転の途中に盤面飾りが遊技盤から浮いて外れてしまうことがない。
【００３０】
また、請求項３に係る発明の盤面飾り取付方法では、第一の凸部嵌合工程で、盤面飾りに設けられた複数の凸部の内の一つである第一の凸部を遊技盤に設けられた複数の取付孔の内の一つに嵌合させ、回転工程で盤面飾りを第一の凸部を支点として回転させて、盤面飾りの側面をガイドレールの端部に当接させてガイドレールの端部を盤面飾りで押圧できるので、盤面飾りの取り付け時に別の工程として手等でガイドレールを押さえておく必要がない。それにより作業を容易にし、また作業の効率を上げることができる。
【００３１】
また、請求項４に係る発明の盤面飾り取付方法では、請求項３に記載の盤面飾り取付方法の効果に加え、第一の凸部嵌合工程で、盤面飾りに設けられた複数の凸部の内、他の凸部よりも長い第一の凸部を遊技盤の表面に設けられた複数の取付孔の内の一つに嵌合させ、回転工程で第一の凸部以外の凸部を遊技盤に干渉させることなく盤面飾りを回転させることができ、第一の凸部は支点として取付孔に確実に嵌合するので、作業工程で回転の途中に盤面飾りが遊技盤から浮いて外れてしまうことがない。
【００３２】
また、請求項５に係る発明の盤面飾りでは、盤面飾りの裏面に設けられた複数の凸部の内、第一の凸部が他の凸部よりも長くなっているので、第一の凸部を遊技盤に設けられた取付孔に嵌合させて第一の凸部を支点として盤面飾りを回転させることができ、他の凸部を遊技盤に設けられた取付孔に嵌合させて盤面飾りを遊技盤に取り付けることができる。
【図面の簡単な説明】
【図１】盤面飾り１の後方斜視図である。
【図２】盤面飾り１の側面図である。
【図３】盤面飾り１を遊技盤１０に取り付ける前の状態を示す後方斜視図である。
【図４】盤面飾り１の遊技盤１０への取付方法を示す斜視図である。
【図５】盤面飾り１の遊技盤１０への取付方法を示す正面図である。
【図６】図５のＡ−Ａ線における矢視方向断面図である。
【図７】盤面飾り１を遊技盤１０に取り付けた状態を示す斜視図である。
【図８】本発明の変形例を示す盤面飾り１の後方斜視図である。
【図９】従来の盤面飾り３３０を遊技盤３００に取り付ける前の状態を示す斜視図である。
【図１０】従来の盤面飾り３３０を示す斜視図である。
【図１１】従来の盤面飾り３３０を示す側面図である。
【符号の説明】
１    盤面飾り
２，３，４、５  凸部
１０    遊技盤
１０ａ  遊技盤の表面
１１，１２，１３，１４  取付孔
１６  ガイドレール
１６ａ  端部